(57)【要約】本発明は、一般式（Ｉ）で表されるグリセリルモノエーテル、及び（ｂ）粘土鉱物を含有する柔軟洗浄剤組成物である。  Ｒ−Ｏ−（Ｃ３Ｈ６Ｏ２）ｎ−Ｈ    （Ｉ）（式中、Ｒは炭素数６〜２２の炭化水素基を、ｎはグリセリンの縮合度であり、３〜５の数を示す。）【特許請求の範囲】
【請求項１】
（ａ）一般式（Ｉ）で表されるグリセリルモノエーテル及び（ｂ）粘土鉱物を含有する柔軟洗浄剤組成物。
Ｒ−Ｏ−（Ｃ３Ｈ６Ｏ２）ｎ−Ｈ    （Ｉ）
（式中、Ｒは炭素数６〜２２の炭化水素基を、ｎはグリセリンの縮合度であり、３〜５の数を示す。）
【請求項２】
（ａ）成分を０．１〜８０質量％含有する請求項１記載の柔軟洗浄剤組成物。
【請求項３】
（ｂ）成分を３〜３０質量％含有する請求項１又は２記載の柔軟洗浄組成物。
【請求項４】
（ａ）成分中、グリセリンの縮合度ｎが１〜７であるグリセリルモノエーテル中、ｎが３〜５であるグリセリルモノエーテルの合計含有量が４０質量％以上である請求項１〜３の何れか１項記載の柔軟洗浄剤組成物。
【請求項５】
（ａ）成分／全界面活性剤の質量比が１／１０〜１／１である請求項１〜４の何れか１項記載の柔軟洗浄剤組成物。
【請求項６】
（ａ）成分が、Ｃ３Ｈ６Ｏ２基が直線状に結合した化合物である請求項１〜５の何れか１項記載の柔軟洗浄剤組成物。
【請求項７】
一般式（Ｉ）中のＲが、直鎖のアルキル基の化合物である請求項１〜６の何れか１項記載の柔軟洗浄剤組成物。
【請求項８】
（ｂ）成分が、スメクタイト型粘土鉱物である、請求項１〜７の何れか１項記載の柔軟洗浄剤組成物。
【発明の詳細な説明】
【技術分野】
【０００１】
本発明は、柔軟洗浄剤組成物に関する。
【背景技術】
【０００２】
従来から、洗浄後の繊維製品が、繊維処理剤の脱落や塩類の付着等によって、柔らかさを失い、ごわごわした感触になるのを防止するために、洗剤に柔軟化基剤を配合することが検討されている。例えば、繊維表面に沈着して繊維製品の風合いに柔軟性を付与する柔軟化基剤として、従来、スメクタイト等の粘土鉱物（例えばＪＰ−Ａ４９−８５１０２参照。）、ジアルキル型第４級アンモニウム塩等の陽イオン界面活性剤（例えば特許庁公報  周知・慣用技術集（衣料用粉末洗剤）、平成１０（１９９８）．３．２６発行参照。）、ポリジメチルシロキサン等のシリコーン（例えばＪＰ−Ａ２００２−２４９７９９参照。）等の配合が知られている。
また、近年、配合の容易性、環境対応等の点から、粘土鉱物による柔軟効果の増強方法が検討されている。例えば、ベントナイトとペンタエリスリトール化合物との併用（例えばＪＰ−Ａ５−１４０８６９参照。）、粘土鉱物と凝集剤との併用（例えばＪＰ−Ａ２００２−５４１３４２参照。）、ベントナイトと可溶性カリウム塩との併用（例えばＪＰ−Ａ８−５０６８４３、特許庁公報  周知・慣用技術集（衣料用粉末洗剤）、平成１０（１９９８）．３．２６発行参照。）等が知られている。
【発明の開示】
【０００３】
本発明は、（ａ）一般式（Ｉ）で表されるグリセリルモノエーテル〔以下、（ａ）成分という〕及び（ｂ）粘土鉱物〔以下、（ｂ）成分という〕を含有する柔軟洗浄剤組成物に関する。
Ｒ−Ｏ−（Ｃ３Ｈ６Ｏ２）ｎ−Ｈ    （Ｉ）
（式中、Ｒは炭素数６〜２２の炭化水素基を、ｎはグリセリンの縮合度であり、３〜５の数を示す。）
発明の詳細な説明
従来の技術では、洗剤に繊維の柔軟化に対する要望が高まってきている近年、洗浄工程の中で十分な柔軟性を付与するには至っていない。更に、近年、洗浄力、特に油汚れに対する洗浄力の強化の一環として、主界面活性剤として非イオン界面活性剤が配合されるようになってきているが、粘土鉱物を配合した洗剤に非イオン界面活性剤特にポリオキシエチレン系の非イオン界面活性剤が存在すると、柔軟性を高めることはいっそう困難となることが判明した。
本発明は、繊維製品の洗浄性に優れると共に、繊維製品に対して良好な柔軟効果を付与できる柔軟洗浄剤組成物を提供する。
本発明の柔軟洗浄剤組成物を用いることにより、繊維製品等の洗浄の際に、高い洗浄性が得られると共に優れた柔軟性を繊維製品に付与できる。
＜（ａ）成分＞
本発明の（ａ）成分は、グリセリンの縮合物であるポリグリセリンに、炭素数６〜２２の炭化水素基が１つエーテル結合したグリセリルモノエーテルである。
（ａ）成分は、グリセリンの縮合度ｎが１〜７であるグリセリルモノエーテル中、ｎが３〜５であるグリセリルモノエーテルの合計含有量は４０質量％以上、更に５０質量％以上、特に６０質量％以上であることが好ましい。
洗浄力の観点から、グリセリンの縮合度ｎは３、４が好ましく、更に４が好ましい。また、（ａ）成分中、グリセリンの縮合度ｎが１〜７であるグリセリルモノエーテル中、ｎが３、４であるグリセリルモノエーテルの合計含有量が７０質量％以上であることが好ましい。
ｎが３〜５であるグリセリルモノエーテルの（ａ）成分は、グリセリンの縮合度ｎが３〜８または１〜７であるグリセリルモノエーテル中に含まれていてもよい。
一般式（Ｉ）中のＲは、直鎖、分岐鎖、飽和、不飽和の炭化水素基の何れでも良いが、好ましくは、炭素数６〜２２、更に１２〜１４、特に１２のアルキル基、特に直鎖のアルキル基が好ましい。成分（ａ）中、一般式（Ｉ）中のＲが炭素数１２〜１４のアルキル基である化合物の合計含有量が、７０質量％以上、更に８０質量％以上であることが好ましい。
本発明の成分（ａ）は、例えば、炭素数６〜２２のアルコールに所定量の２，３−エポキシ−１−プロパノール（グリシドール）をアルカリ触媒の存在下で反応させることで得られる。また、ＪＰ−Ａ２０００−１６０１９０の段落０００７〜００１１に記載されたような方法で製造することもできる。
成分（ａ）におけるグリセリンの結合様式は、直線型（グリセリンが１，３位で結合するもの）、分岐型（１，２位でグリセリンが結合するもの、１，２位で結合するグリセリン（２位の方）の１，３位に更にグリセリンが結合するもの等）があるが、いずれでも用いることができるが、特に一般式（Ｉ）中のＣ３Ｈ６Ｏ２基が直線状に結合した直線型の化合物が好ましい。
一般に、成分（ａ）のようなグリセリルモノエーテルは、縮合度の異なる化合物の混合物として得られる。本発明では、洗浄力の観点から、グリセリンの縮合度ｎが３〜５の化合物を用いるが、これらの化合物を含んでいれば、前記混合物をそのまま用いることができる。更に、必要に応じて反応物を蒸留等により精製してこの範囲の縮合度の化合物を得ることが好ましい。なお、このような混合物では、グリセリンの縮合度ｎが１又は２であるグリセリルモノエーテルの合計含有量は２０質量％未満であることが好ましい。更に、グリセリンの縮合度ｎが１であるグリセリルモノエーテルの合計含有量は１０質量％未満であることが好ましい。
（ａ）成分の含有量は、本発明の柔軟洗浄剤組成物中、好ましくは０．１〜８０質量％、より好ましくは１〜５０質量％、更に好ましくは３〜２５質量％、特に好ましくは５〜２０質量％である。
＜（ｂ）成分＞
本発明の柔軟洗浄剤組成物は（ｂ）成分として、粘土鉱物を含有する。柔軟性能、洗浄性能の点で、柔軟洗浄剤組成物中の（ｂ）成分の含有量は、３〜３０質量％が好ましく、３〜２０質量％がより好ましく、４〜１８質量％が更に好ましく、６〜１６質量％がより更に好ましく、８〜１５質量％が特に好ましい。
粘土鉱物は、特に天然の場合、クォーツ、クリストバライト、カルサイト、長石などの不純物を含有するため、（ｂ）成分の含有量とは、これらの不純物の含有量を除外したものである。また、造粒時に供した水やバインダーや添加剤等の成分も（ｂ）成分の含有量には含まれるものではない。
（ｂ）成分としては、特に制限されるものではないが、例えば、タルク、パイロフィライト、スメクタイト（サポナイト、ヘクトライト、ソーコナイト、スティーブンサイト、モンモリロナイト、バイデライト、ノントロナイト等）、バーミキュライト、雲母（金雲母、黒雲母、チンワルド雲母、白雲母、パラゴナイト、セラドナイト、海緑石等）、緑泥石（クリノクロア、シャモサイト、ニマイト、ペナンタイト、スドーアイト、ドンバサイト等）、脆雲母（クリントナイト、マーガライト等）、スーライト、蛇紋石鉱物（アンチゴライト、リザーダイト、クリソタイル、アメサイト、クロンステダイト、バーチェリン、グリーナライト、ガーニエライト等）、カオリン鉱物（カオリナイト、ディッカイト、ナクライト、ハロイサイト等）等が挙げられる。中でも、柔軟性能の点で、タルク、スメクタイト、膨潤性雲母、バーミキュライト、クリソタイル、カオリン鉱物等が好ましく、スメクタイトがより好ましく、モンモリロナイトが更に好ましい。これらは単独又は２種以上を適宜組み合わせて用いることができる。
また、（ｂ）成分として、下記一般式（ＩＩ）で表されるスメクタイト型粘土鉱物を好適に用いることもできる。
［Ｓｉ８（ＭｇａＡｌｂ）Ｏ２０（ＯＨ）４］Ｘ−・Ｘ／ｎ［Ｍｅ］ｎ＋    （ＩＩ）
（式中、０＜ａ≦６、０≦ｂ≦４、０．２≦ｘ＝１２−２ａ−３ｂ≦１．２であり、ＭｅはＮａ、Ｋ、Ｌｉ、Ｃａ、ＭｇおよびＮＨ４の少なくとも１種であり、ｎはＭｅの価数を表す。）
なお、（ｂ）成分は、粘土鉱物をパウダーとして用いても、粘土鉱物を主成分とする粘土造粒物として用いても良い。パウダーとして用いる場合、その粒径は吸油能および膨潤性の点から０．１〜３０μｍが好ましい。造粒物として用いる場合、その粒径は溶解性の点から１００〜２０００μｍが好ましい。
粘土鉱物は、一般的にクォーツ、クリストバライト、カルサイト、長石などの不純物を含有するため、（ｂ）成分の含有量とは、これらの不純物も含んだものである。また、造粒時に供した水やバインダーや添加剤等の成分も（ｂ）成分の含有量に含まれる。
また、（ｂ）成分を粘土造粒物として用いるとき、造粒物中のＮａ／Ｃａの質量比は用途によって変えることができる。Ｎａ／Ｃａの質量比を１以上に変えると造粒物の分散性を向上させることができ、１未満に変えると衣類を洗浄したときの柔軟性を向上させることができる。
（ａ）成分と（ｂ）成分の配合比は製剤化の観点から、（ａ）成分／（ｂ）成分の質量比が、０．５／２０〜３０／３が好ましく、１／１５〜２０／５が更に好ましい。
＜（ｃ）成分＞
更に、本発明の柔軟洗浄剤組成物は、（ｃ）成分として、洗浄性能、柔軟性能の点で、陰イオン界面活性剤（但し、脂肪酸塩を除く）を含有することが出来る。柔軟性能、洗浄性能の点で、柔軟洗浄剤組成物中の（ｃ）成分の含有量は、６〜２７質量％が好ましく、１０〜２６質量％がより好ましく、１２〜２５質量％が更に好ましく、１６〜２５質量％がより更に好ましく、２０〜２５質量％が特に好ましい。
（ｃ）成分としては、特に限定されるものではないが、例えば、炭素数１０〜１８のアルコールの硫酸エステル塩、炭素数８〜２０のアルコールのアルコキシル化物の硫酸エステル塩、アルキルベンゼンスルホン酸塩、パラフィンスルホン酸塩、α−オレフィンスルホン酸塩、α−スルホ脂肪酸塩、α−スルホ脂肪酸アルキルエステル塩などを挙げることができる。本発明では特に、アルキル鎖の炭素数が１０〜１４の、より好ましくは１２〜１４の直鎖アルキルベンゼンスルホン酸塩やアルキル鎖の炭素数が１０〜１８のアルキル硫酸塩を含有することが好ましい。対イオンとしては、アルカリ金属塩やアミン類が好ましく、特にナトリウム及び／又はカリウム、モノエタノールアミン、ジエタノールアミンが好ましい。
また、アルキルベンゼンスルホン酸塩とアルキル硫酸塩との混合系がより好ましく、アルキルベンゼンスルホン酸塩／アルキル硫酸塩の質量比が３０／１〜１／１が更に好ましく、５／１〜６／５が特に好ましい。さらに、柔軟性の観点より、アルキル硫酸塩のアルキル基の分岐鎖／直鎖の比率が１０／９０〜９９／１、更に２０／８０〜９７／３、更に３０／７０〜９５／５、特に４０／６０〜９０／１０であることが好ましい。
なお、（ｃ）成分以外の界面活性剤を含有することもできる。本発明では、（ａ）成分／全界面活性剤の質量比が１／１０〜１／１、更に１／４〜１／１、特に１／２〜１／１であることが、柔軟性の点から好ましい。なお、この質量比の算出において、全界面活性剤には（ａ）成分も含むものとする。
＜（ｄ）成分＞
更に、本発明の柔軟洗浄組成物は、（ｄ）成分としてアルカリ剤を１０〜２５質量％含有するのが好ましい。（ｄ）成分としては、（ｄ１）炭酸塩、（ｄ２）結晶性珪酸塩、（ｄ３）非晶質珪酸塩等を挙げることができる。これらの組成物中の含有量は、洗浄性の観点から（ｄ１）成分は１２〜２４質量％が好ましく、（ｄ２）成分においては柔軟性の観点から、０．５〜３質量％が好ましく、０．５〜２質量％がより好ましく、洗浄性および柔軟性の観点から（ｄ３）成分は５質量％以下が好ましい。
＜（ｅ）成分＞
また、本発明の柔軟洗浄剤組成物は、さらに柔軟性の点で、（ｅ）成分として脂肪酸塩を０．３〜３質量％、更に０．４〜２質量％、特に０．５〜１．５質量％含有することが好ましい。
脂肪酸としては、例えば、炭素数１０〜２２の脂肪酸等が挙げられる。炭素数は１０〜１８が好ましい。塩としてはナトリウムやカリウム等のアルカリ金属の塩が好ましく、特にナトリウム塩が好ましい。
＜（ｆ）成分＞
また、本発明の柔軟洗浄剤組成物は、さらに柔軟性、溶解性の点で、（ｆ）成分として多価アルコールを０．１〜１０質量％、更に０．２〜６質量％、更に０．４〜４質量％、特に０．６〜３質量％含有することが好ましい。
（ｆ）成分としては、分子内に水酸基を２個以上有する化合物が好ましい。また、（ｆ）成分の多価アルコールは、融点４０℃以下が好ましく、３０℃以下がより好ましく、２０℃以下のものが更に好ましい。なお、この融点は、ＪＩＳ  Ｋ  ００６４−１９９２「化学製品の融点及び溶融範囲測定方法」の目視による方法に従って測定することができる。
（ｆ）成分としては、グリセリン及び／又はポリエチレングリコールが好ましい。
＜水分＞
また、本発明の柔軟洗浄剤組成物は、安定性、生産性の点で、水（ＪＩＳ  Ｋ  ３３６２：１９９８記載の過熱減量法による水分）を０．１〜１０質量％、更に０．２〜６質量％、特に０．５〜４質量％含有することが好ましい。
＜その他の成分＞
本発明の柔軟洗浄剤組成物は、衣料用洗剤の分野で公知のビルダー（非晶質アルミノ珪酸塩、トリポリリン酸ナトリウム、ピロリン酸ナトリウム、有機系ビルダーとしては、アミノカルボン酸塩、ヒドロキシアミノカルボン酸塩、ヒドロキシカルボン酸塩、シクロカルボン酸塩、エーテルカルボン酸塩及び有機カルボン酸（塩）ポリマー等）、再汚染防止剤（ポリアクリル酸塩、カルボキシメチルセルロース等）、その他の柔軟化剤、蛍光染料、抑泡剤（石鹸、シリコーン等）、酵素（プロテアーゼ、セルラーゼ、アミラーゼ、リパーゼ等）、酵素安定化剤、着色剤、香料等を含有させることができる。
以上のような組成を有する本発明の柔軟洗浄剤組成物は、前記各成分を公知の方法で混合することによって製造することができ、流動性および耐ケーキング性の点で、表面改質剤を用いて表面改質されても良い。
本発明の柔軟洗浄剤組成物は、安定性の点で、粉末や錠剤形態であることが好ましく、粉末形態がより好ましい。低温溶解性、安定性の点で、ＪＩＳ  Ｋ  ３３６２：１９９８記載のふるい分け機械によるふるい分け方法によって測定される粒度から求められる平均粒径は２００〜１０００μｍが好ましく、より好ましくは２５０〜９００μｍ、更に好ましくは３００〜８００μｍである。低温溶解性、安定性の点で、ＪＩＳ  Ｋ  ３３６２：１９９８記載方法によって測定される見かけ密度は３００〜１２００ｇ／Ｌが好ましく、４００〜１１００ｇ／Ｌがより好ましく、６００〜１０００ｇ／Ｌが更に好ましく、７００〜９８０ｇ／Ｌが特に好ましい。
洗浄性能、柔軟性能、損傷性の点で、柔軟洗浄剤組成物のＪＩＳ  Ｋ３３６２：１９９８記載の２０℃で測定する０．１質量％の水溶液のｐＨは８〜１２が好ましく、９〜１１．５がより好ましく、９．５〜１１が更に好ましく、１０〜１１が特に好ましい。
洗浄性能、柔軟性能の点で、柔軟洗浄剤組成物の下記測定方法によるカルシウム捕捉量は、２０〜３００ＣａＣＯ３ｍｇ／ｇが好ましく、５０〜２００ＣａＣＯ３ｍｇ／ｇがより好ましく、１００〜１５０ＣａＣＯ３ｍｇ／ｇが更に好ましい。
（カルシウム捕捉量の測定方法）
カルシウム捕捉量（Ｃａ捕捉量）は、ＪＰ−Ａ３−２７７６９６の３頁右下欄６行目から４頁左上欄６行目記載の方法（但し、陰イオン性界面活性剤を柔軟洗浄剤組成物と読み替える）により求める。
本発明の柔軟洗浄剤組成物は、例えば、綿製のタオル、バスタオルやＴシャツ、トレーナーに代表される衣類等の繊維製品の柔軟洗剤として好適に使用することができる。
【実施例】
【０００４】
次の実施例は本発明の実施について述べる。  実施例は本発明の例示について述べるものであり、  本発明を限定するためではない。
合成例
ラウリルアルコール９３．２ｇ（０．５０ｍｏｌ）、カリウムメトキシド７．０１ｇ（０．１０ｍｏｌ）を３００ｍＬ四つ口フラスコに入れ、２５ｋＰａの減圧条件下、撹拌しながら９５℃に昇温しメタノールを留去した。次いで、グリシドール１４８．１６（２．０ｍｏｌ）を窒素気流下、９５℃にて２４時間で滴下し、そのまま２時間撹拌を続けた。反応終了後、硫酸４．９０ｇ（０．０５ｍｏｌ）と水１０ｇを加え、触媒を中和処理し、反応中間物２４８．１ｇ（グリシドール転化率９９．９％以上）を得た。得られた反応中間物中にはガスクロマトグラフィー法により、ポリグリセリンラウリルエーテルが存在することが確認され、グリセリンの縮合度ｎが３〜５のものの割合は、ｎが１〜７のものの合計に対して２８．６質量％であった。得られた反応中間物を、４０Ｐａ、２１０℃の条件で減圧蒸留し留去した。  得られた反応生成物をガスクロマトグラフィーによって分析した結果、ラウリルアルコール、ラウリルモノグリセリルエーテル、ラウリルジグリセリルエーテル、グリセリン及びポリグリセリンは検出されなかった。  また得られたラウリルポリグリセリルエーテルのうち、グリセリンの縮合度ｎが３〜５のものの割合は、ｎが１〜７のものの合計に対して５５．４質量％であった。  よって、該生成物〔グリセリルモノエーテル（１）〕は、グリセリンの縮合度ｎが異なる複数の化合物を含むことが確認された。
調製例
上記合成によって得られた混合物を縮合度別に、適宜分取して組合せて用いることができる。
実施例１〜２４、比較例１〜３
表１の成分のうち、粘土鉱物、酵素、香料、および表面改質用ゼオライト３質量％を除いた成分で、洗剤ベースを得た。これに、残りの成分を混合して柔軟洗浄剤組成物を得た。柔軟洗浄剤組成物の組成を表１に示す。
得られた柔軟洗浄剤組成物は、全て、ＪＩＳ  Ｋ３３６２：１９９８記載の２０℃で測定する０．１質量％の水溶液のｐＨは１０〜１１の範囲、カルシウム捕捉量は５０ＣａＣＯ３ｍｇ／ｇ〜２００ＣａＣＯ３ｍｇ／ｇの範囲、平均粒径は３００〜８００μｍの範囲、見かけ密度は７００〜９８０ｇ／Ｌの範囲であった。
得られた柔軟洗浄剤組成物の洗浄力及び柔軟性を以下の方法に従って評価した。結果を表１に示す。
〔Ｉ〕洗浄力の評価方法
（襟あか布の調製）
ＪＩＳ  Ｋ３３６２：１９９８記載の襟あか布を調製した。
（洗浄条件及び評価方法）
ＪＩＳ  Ｋ  ３３６２：１９９８記載の衣料用合成洗剤の洗浄力評価方法に準じ、表１の柔軟洗浄剤組成物と洗浄力判定用指標洗剤の洗浄力を比較した。表１の柔軟洗浄剤組成物の使用濃度を１．０ｇ／Ｌとした。
評価基準
○：指標洗剤より勝る
△：指標洗剤と同等
×：指標洗剤より劣る
〔ＩＩ〕柔軟性の評価方法
（評価用タオルの調製）
市販の綿タオル（綿１００％）をミニ洗濯機（Ｎａｔｉｏｎａｌ製「Ｎ−ＢＫ２」）を用い、また、その際の前処理剤には非イオン界面活性剤（炭素数１２の１級アルコールにエチレンオキサイドを平均６モル付加させたもの）、結晶性シリケート（プリフィード顆粒品）、炭酸ナトリウムを１：１：３（質量比）で混合したものを０．５ｇ／Ｌで使用した。水温２０℃で７分洗浄後、遠心脱水、３分ためすすぎ、脱水、３分ためすすぎ、脱水を合計５回繰り返し、処理剤を除去したものを使用した。
（柔軟処理）
２０℃の水５Ｌに表１の柔軟洗浄剤組成物５．０ｇ、綿タオル０．３ｋｇ（７０ｃｍ×３０ｃｍで４枚）を投入し、７分間洗った。脱水後、水５Ｌで３分ためすすぎ、脱水、３分ためすすぎ、脱水して風乾した。
柔軟洗浄剤組成物で洗ったタオルと前処理タオルとを一対として５人の判定者が手触りの柔らかさを官能評価した。差がない場合及び硬くなる場合を０点、わずかに柔らかくなる場合を１点、少し柔らかくなる場合を２点、明らかに柔らかくなる場合を３点とし、５人の合計点を以下のように示した。この際、○以上を合格レベルとした。
評価基準
◎：合計１０点以上
○：合計６点以上１０点未満
△：合計３点以上６点未満
×：合計３点未満
【表１】
2007114484.tif 000002
2007114484.tif 000003
表１中の成分は以下のものである。
・ａ１：一般式（Ｉ）中のＲが１２〜１４のアルキル基であり、ｎが３のグリセリルモノエーテル
・ａ２：一般式（Ｉ）中のＲが１２〜１４のアルキル基であり、ｎが４のグリセリルモノエーテル
・ａ３：一般式（Ｉ）中のＲが１２〜１４のアルキル基であり、ｎが５のグリセリルモノエーテル
・ａ４：一般式（Ｉ）中のＲが１２〜１４のアルキル基であり、ｎが２のグリセリルモノエーテル
・ａ５：一般式（Ｉ）中のＲが１２〜１４のアルキル基であり、ｎが１のグリセリルモノエーテル
・ａ６：一般式（Ｉ）中のＲが１２〜１４のアルキル基であり、ｎが６のグリセリルモノエーテル
・ａ７：一般式（Ｉ）中のＲが１２〜１４のアルキル基であり、ｎが７のグリセリルモノエーテル
・粘土鉱物１：「ラウンドロジルＤＧＡ２１２」（ズード・ケミ社製、ベントナイト顆粒、Ｎａ／Ｃａ比：２．５４５）
・粘度鉱物２：「ラウンドロジルＰＲ４１４」（ズード・ケミ社製、ベントナイト顆粒、Ｎａ／Ｃａ比：０．８３３）
・粘土鉱物３：「ベンゲルブライト２３」（（株）ホージュン社製、ベントナイトパウダー、Ｎａ／Ｃａ比：２．２７）
・粘土鉱物４：「ベンゲルブライト１１」（（株）ホージュン社製、ベントナイトパウダー、Ｎａ／Ｃａ比：０．０２５）
・エトキシレートノニオン：炭素数１０〜１４の１級アルコールにエチレンオキサイドを平均６モル付加させたもの
・ＬＡＳ：アルキル基の炭素数１２〜１４の直鎖アルキルベンゼンスルホン酸ナトリウム
・α−ＳＦＥ：炭素数１４〜１８の脂肪酸メチルエステルをスルホン化したもの
・ＡＳ：炭素数１２〜１５のアルキル硫酸ナトリウム
・結晶性シリケート：プリフィード顆粒品（株式会社トクヤマシルテック製）
・石鹸：炭素数１２〜２０の脂肪酸塩
・ＰＥＧ：ポリエチレングリコール（重量平均分子量１００００）
・ゼオライト：「ゼオビルダー」（ゼオビルダー社製、メジアン径：３．０μｍ）
・オリゴマーＤ：ポリアクリル酸（平均分子量１．５万；ＧＰＣによる測定、ポリエチレングリコール換算）
酵素：「セルラーゼＫ」（特開昭６３−２６４６９９号公報記載）、「カンナーゼ２４ＴＫ」（ノボザイム社製）、「サビナーゼ６．０Ｔ」（ノボザイム社製）を３：１：２の質量比で使用
表１中の（ａ）／Ａｘ１００はグリセリルモノエーテルＡ（縮合度ｎ＝１〜７）に対するａ１，ａ２およびａ３を含む（ａ）の重量比率をしめす。
【国際調査報告】
2007114484.tif 000004
2007114484.tif 000005
2007114484.tif 000006
2007114484.tif 000007